(57)【要約】【課題】素材出力部を安価に構成する。ミラーリングなどの措置を不要にする。【解決手段】送出サーバシステムの素材出力部を複数個の光ディスク装置（記録再生部）１２８-1〜１２８-3により、安価に構成する。素材サーバ１２１から素材出力部に番組を構成する素材を転送する際、送出用の光ディスク装置１２８-1，１２８-2に素材を共通に転送して記録する。光ディスク装置１２８-1，１２８-2の一方が壊れた場合でも、他方に同じ素材が記録されてバックアップされているため、ミラーリングなどの措置が不要となる。光ディスク装置１２８-3は緊急用とされる。番組開始までに素材サーバ１２１から素材出力部への転送が間に合わなかった素材を、番組を構成する素材として、緊急用の光ディスク装置１２８-3を利用して出力できる。光ディスク装置１２８-1〜１２８-3の送出用、緊急用の用途変更が可能とされる。【選択図】図６
2010219973.tif 000002
【特許請求の範囲】
【請求項１】
素材サーバから転送される、番組を構成する素材を一時的に記憶し、該素材を順次読み出して出力する素材出力部を備え、
上記素材出力部は、複数個の記録再生部を有し、
上記複数個の記録再生部には、上記素材サーバから上記番組を構成する素材が共通に転送されて記録され、
各素材は、上記複数個の記録再生部のうち送出対象の記録再生部から再生されて出力される
送出サーバシステム。
【請求項２】
上記素材出力部が有する上記複数個の記録再生部のうち少なくとも一個の記録再生部は緊急用の記録再生部とされ、
番組開始前は、上記素材サーバから転送される番組を構成する素材は上記緊急用の記録再生部を除く複数個の記録再生部に共通に転送されて記録され、
番組開始後は、上記素材サーバから転送される番組を構成する素材は上記緊急用の記録再生部に転送されて記録される
請求項１に記載の送出サーバシステム。
【請求項３】
上記素材出力部が有する上記複数個の記録再生部のうち上記緊急用の記録再生部の変更が可能とされている
請求項２に記載の送出サーバシステム。
【請求項４】
上記記録再生部は、光ディスク装置である
請求項３に記載の送出サーバシステム。
【請求項５】
複数個の記録再生部を有する素材出力部に、素材サーバから番組を構成する素材を転送して記録する際に、
上記素材サーバから上記番組を構成する素材を、上記複数個の記録再生部に共通に転送して記録する
素材転送方法。
【発明の詳細な説明】
【技術分野】
【０００１】
この発明は、例えば、ニュース番組制作システム等に使用して好適な送出サーバシステムおよび素材転送方法に関する。
【背景技術】
【０００２】
テレビジョン放送におけるニュース番組は、放送局の各支局、支部またはクラブ等において取材した種々雑多なニュースソースを視聴者に迅速かつ正確に伝達することが求められている。実際、ニュース番組の放送においては、報道部において取材予定がたてられ、その後に、各支局、支部またはクラブで取材されたニュースソースが、番組制作送出システムにより速やかに編集される。
【０００３】
そして、この番組制作送出システムにより、編集後のニュースソースが、番組に関する内容および番組を構成する各項目の放送時刻等が示されたキューシート（番組進行表）に従って、オンエア送出される。この種の番組制作送出システムは、例えば特許文献１等に記載されている。
【先行技術文献】
【特許文献】
【０００４】
【特許文献１】特開２００８−５９０９６号公報
【発明の概要】
【発明が解決しようとする課題】
【０００５】
上述の番組制作送出システムにおいては、素材出力部としてＨＤＤにより構成された送出サーバが備えられている。そして、素材サーバから送出サーバに番組を構成する素材が転送されて一時的に記録され、この素材がキューシート情報に基づいて順次読み出されて出力される。
【０００６】
この送出サーバは、１台につき複数の送出ポートを備えている。そして、上述したように、この送出サーバは、ＨＤＤにより構成されており、ＨＤＤ内に記録されている素材を任意の送出ポートから出力することが可能となっている。
【０００７】
しかし、この送出サーバは高価であり、その分だけ素材出力部が高価となるという問題がある。また、この送出サーバがＨＤＤを備えた構成であるため、当該ＨＤＤのクラッシュ時に備えたミラーリングなどの措置が必要になるという問題がある。
【０００８】
この発明の目的は、素材出力部を安価に構成でき、しかもミラーリングなどの措置を不要にすることにある。
【課題を解決するための手段】
【０００９】
この発明の概念は、
素材サーバから転送される、番組を構成する素材を一時的に記憶し、該素材を順次読み出して出力する素材出力部を備え、
上記素材出力部は、複数個の記録再生部を有し、
上記複数個の記録再生部には、上記素材サーバから上記番組を構成する素材が共通に転送されて記録され、
各素材は、上記複数個の記録再生部のうち送出対象の記録再生部から再生されて出力される
送出サーバシステムにある。
【００１０】
この発明において、素材出力部は、複数個の記録再生部、例えば複数個の光ディスク装置を有する構成とされる。そして、この素材出力部に、素材サーバから番組を構成する素材が転送されて記録される際に、この素材が複数個の記録再生部に共通に転送されて記録される。
【００１１】
このように素材出力部が複数個の記録再生部で構成されることで、従来のように送出サーバで構成される場合に比べて安価に構成できる。また、素材が複数個の記録再生部に共通に転送されて記録されることから、ある記録再生部が壊れた場合でも、他の記録再生部に同じ素材が記録されてバックアップされているため、ミラーリングなどの措置が不要となる。また、ある記録再生部が壊れた場合、当該記録再生部だけを交換することで容易に、かつ低コストで復旧できる。
【００１２】
また、この発明において、例えば、素材出力部が有する複数の記録再生部のうち少なくとも一個の記録再生部は緊急用の記録再生部とされ、番組開始前は、素材サーバから転送される番組を構成する素材は緊急用の記録再生部を除く複数個の記録再生部に共通に転送されて記録され、番組開始後は、素材サーバから転送される番組を構成する素材は緊急用の記録再生部に転送されて記録される、ようにされてもよい。
【００１３】
この場合、番組開始までに素材サーバから素材出力部への転送が間に合わなかった素材を、番組を構成する素材として、緊急用の記録再生部を利用して出力することが可能となる。
【００１４】
また、この発明において、例えば、素材出力部が有する複数個の記録再生部のうち緊急用の記録再生部の変更が可能とされていてもよい。この場合、今までの送出用の記録再生部が故障した場合、緊急用の記録再生部をその代わりとして使用して、送出動作を継続することが可能となる。なお、この場合、故障した記録再生部を修理、あるいは交換することで、緊急用の記録再生部として使用することが可能となる。
【発明の効果】
【００１５】
この発明によれば、素材出力部が複数個の記録再生部により構成されるものであり、従来のように送出サーバにより構成される場合に比べて素材出力部を安価に構成できる。また、素材が複数個の記録再生部に共通に転送されて記録されるものであり、ある記録再生部が壊れた場合でも、他の記録再生部に同じ素材データが記録されてバックアップされているため、ミラーリングなどの措置が不要となる。
【図面の簡単な説明】
【００１６】
【図１】この発明の実施の形態としての番組制作送出システムの構成例を示すブロック図である。
【図２】番組表の表示例を示す図である。
【図３】キューシートの表示例を示す図である。
【図４】番組制作支援システムの各端末として使用できる情報処理端末（パーソナルコンピュータ）の構成例を示す図である。
【図５】光ディスク装置の構成例を示すブロック図である。
【図６】素材サーバから送出用の光ディスク装置への素材の転送と、この光ディスク装置からの素材の送出を説明するための図である。
【図７】素材サーバから緊急用の光ディスク装置への素材の転送と、この光ディスク装置からの素材の送出を説明するための図である。
【図８】光ディスク装置の送出用、緊急用の用途の変更を説明するための図である。
【発明を実施するための形態】
【００１７】
以下、発明を実施するための形態（以下、「実施の形態」とする）について説明する。なお、説明は以下の順序で行う。
１．実施の形態
２．変形例
【００１８】
＜１．実施の形態＞
［番組制作送出システムの構成例］
図１は、実施の形態としての番組制作送出システム１００の構成例を示している。番組制作送出システム１００は、番組制作支援システム１１０と、送出サーバシステム１２０とを含んでいる。
【００１９】
番組制作支援システム１１０には、取材管理端末１１１、原稿作成端末１１２、項目入力端末１１３、キューシート作成端末１１４およびデータベース１１５を含み、これらがローカルネットワークで接続されたシステムである。各端末は、コンピュータ（パーソナルコンピュータあるいはワークステーションなど）により構成される。
【００２０】
取材管理端末１１１は、取材を管理するための端末である。原稿作成端末１１２は、記者らが原稿を作成するための端末である。項目入力端末１１３は、番組表および番組項目表を作成するための端末である。
【００２１】
番組表の作成では、オンエアする期間や放送枠、曜日などを番組リストに登録することで、番組表が作成される。番組項目表の作成では、番組表画面から番組を選択することで開かれる番組項目表画面にて項目の追加、変更を行うことで、番組項目表が作成される。項目入力端末１１３で作成された番組表および番組項目表はデータベース１１５に登録される。
【００２２】
キューシート作成端末１１４は、キューシート（番組進行表）を作成するための端末である。図１には１台しか示していないが、キューシート作成端末１１４としては、複数台の端末が存在する。キューシート作成端末１１４では、プログラム（Program）およびキューシート（Cuesheet）のアプリケーションが動作する。
【００２３】
プログラムのアプリケーションが起動することで、このキューシート作成端末１１４のモニタ（表示パネル）には、番組表が表示される。図２は、番組表の表示例を示している。このように番組表が表示された状態で、番組表の変更、修正が可能となる。また、この番組表から所定の番組を選択することで、キューシートのアプリケーションが起動し、モニタには番組表に重ねて、選択された番組のキューシートが表示される。図３は、キューシートの表示例を示している。
【００２４】
上述した項目入力端末１１３で作成される各番組の番組項目表の情報に基づいてデータベース１１５上にキューシートが自動的に生成される。キューシート作成端末１１４では、このように自動的に生成されたキューシートの各項目に対して構成情報の追加が可能となる。すなわち、このキューシート作成端末１１４では、キューシートが表示された状態で、カメラ／ＶＴＲ／サーバ／効果／音声などの構成情報が追加される。キューシート作成端末１１４で作成されたキューシートはデータベース１１５に登録される。
【００２５】
なお、図示しないが、番組制作支援システム１１０には、上述の端末の他、ＣＧ（Computer Graphics）により映像を作成する、あるいは映像に重ねて表示する地図、天気図、文字等を作成するＣＧ作成端末、文字放送用の文字を作成するクローズドキャプション端末等がある。
【００２６】
図４は、番組制作支援システム１１０の各端末として使用できる情報処理端末（パーソナルコンピュータ）２００の構成例を示している。
【００２７】
情報処理端末２００は、ＣＰＵ（Central Processing Unit）２０３、ＲＯＭ（Read OnlyMemory）２０２、ＲＡＭ（Random Access Memory）２０４、メモリコントローラ２０５およびＨＤＤ（Hard Disk Drive）２０１を有している。また、情報処理端末２００は、ネットワークインタフェース２０６、キーボード２０８、マウス２０９、入力デバイスインタフェース２１０、表示デバイスドライバ２１１およびＬＣＤ（Liquid Crystal Display）２１２を有している。
【００２８】
ＨＤＤ２０１は、ストレージデバイスを構成する。ＨＤＤ２０１、あるいはＲＯＭ２０２は、各端末の動作に必要なプログラム（ソフトウエア）等を格納する。例えば、キューシート作成端末１１４においては、ＨＤＤ２０１、あるいはＲＯＭ２０２に、上述した番組表（プログラム）、キューシートの各アプリケーションのソフトウエアが格納される。ＣＰＵ２０３は、プログラムに基づいて、各端末固有の処理を実行する。ＲＡＭ２０４は、ＣＰＵ２０３の作業領域を構成する。メモリコントローラ２０５は、ＲＡＭ２０４への書き込みおよび読み出しを制御する。
【００２９】
ネットワークインタフェース２０６は、オリジナルネットワークあるいはインターネット等に接続するためのインタフェースである。ＨＤＤ２０１、ＲＯＭ２０２、ＣＰＵ２０３、メモリコントローラ２０５およびネットワークインタフェース２０６は、それぞれ、内部バス２０７に接続されている。
【００３０】
キーボード２０８およびマウス２０９は、ユーザインタフェースを構成しており、番組構成者、編集者、記者等といったユーザから編集操作、各種設定入力、指示入力等を受け付ける。これらキーボード２０８およびマウス２０９は入力デバイスインタフェース２１０を介して内部バス２０７に接続されている。
【００３１】
ＬＣＤ２１２は、ユーザインタフェースを構成しており、各種情報の表示を行う。例えば、キューシート作成端末１１４においては、上述した番組表、キューシートの表示等を行う。このＬＣＤ２１２は、表示デバイスドライバ２１１を介して内部バス２０７に接続されている。
【００３２】
図１に戻って、送出サーバシステム１２０は、素材サーバ１２１、ノンリニア編集機１２２、ファイリング端末１２３、光ディスク装置インタフェース（ＩＦ）端末１２４およびゲートウェイ端末１２５を含む。また、送出サーバシステム１２０は、機器制御端末１２６、機器制御部１２７、光ディスク装置１２８-1〜１２８-3、リニア編集機１２９およびＶＴＲ１３０を含む。ここで、光ディスク装置１２８-1〜１２８-3は、素材出力部を構成している。ここで、光ディスク装置１２８-1〜１２８-3はそれぞれ記録再生部を構成している。
【００３３】
この送出サーバシステム１２０において、ノンリニア編集機１２２、ファイリング端末１２３、光ディスク装置ＩＦ端末１２４およびゲートウェイ端末１２５は、ローカルネットワークで接続されている。この送出サーバシステム１２０は、ゲートウェイ端末１２５を通じて、上述の番組制作支援システム１１０に接続されている。
【００３４】
上述の番組制御作支援システム１１０の各端末はネットワークで、図示しないテレビ放送局内の番組送出システムにも接続されており、ビデオサーバシステム１２０の光ディスク装置１２８-1〜１２８-3から出力される放送用素材は、この番組送出システムに出力される。
【００３５】
素材サーバ１２１は、ＨＤＤ等の大容量記録媒体を備えており、映像、音声、コンピュータグラフィックス、文字データを含む放送用素材を格納する。ノンリニア編集機１２２は、放送用素材を編集する。素材サーバ１２１には、取材を実行することによって得られた映像素材が、その映像素材を録画したＶＴＲ１３０より直接入力され、あるいはノンリニア編集機１２２またはリニア編集機１２９で編集された後に入力される。
【００３６】
ファイリング端末１２３は、所定番組の開始前に、この所定番組を構成する素材（放送用素材）を送出用の光ディスク装置１２８-1，１２８-2に転送すべきことを光ディスク装置ＩＦ端末１２４に指示する。ファイリング端末１２３は、この指示を、番組制作支援システム１１０のデータベース１１５に登録されている当該番組の番組項目表に基づいて行う。
【００３７】
光ディスク装置ＩＦ端末１２４は、上述のファイリング端末１２３からの指示に基づいて、素材サーバ１２１および光ディスク装置１２８-1〜１２８-3に対して転送制御を行う。これにより、素材サーバ１２１から放送用素材が送出用の光ディスク装置１２８-1〜１２８-２に共通に転送されて記録される。
【００３８】
機器制御端末１２６は、所定番組の開始前に、この所定番組のキューシート（番組進行表）をデータベース１１５から受け取る。そして、機器制御端末１２６は、所定番組が開始されると、上述したようにデータベース１１５から受け取ったキューシートに基づいて、コントロール信号を生成して機器制御部１２７に供給する。
【００３９】
機器制御部１２７は、機器制御端末１２６から供給されるコントロール信号に基づいて、送出用の光ディスク装置１２８-1，１２８-2の再生動作を制御する。これにより、送出用の光ディスク装置１２８-1，１２８-2から、所定番組を構成する素材が順次再生されて出力される。このように送出用の光ディスク装置１２８-1，１２８-2で再生されて出力される素材は、番組送出システムに送られる。
【００４０】
光ディスク装置１２８-1〜１２８-3は素材出力部を構成する。光ディスク装置１２８-1，１２８-2は上述したように送出用であり、残りの光ディスク装置１２８-3は緊急用である。緊急用の光ディスク装置１２８-3には、番組開始前までに素材サーバ１２１からの転送が間に合わなかった素材が、ファイリング端末１２３の制御のもと、素材サーバ１２１から転送されて記録される。そして、この素材は、手動でのキューアップ後、１６面タッチパネル等の操作で再生されて出力される。
【００４１】
［光ディスク装置の構成例］
図５は、光ディスク装置１２８（１２８-1〜１２８-3）の構成例を示している。この光ディスク装置１２８は、システム制御部３１１、操作入力部３１２、制御情報入力部３１３、制御情報出力部３１４、入力部３１５、記録信号処理部３１６および情報処理部３１７を有している。また、光ディスク装置１２８は、ドライブ制御部３２０、ピックアップ部３２１、スピンドル駆動部３２２、再生信号処理部３２３および出力部３２４を有している。
【００４２】
システム制御部３１１は、破線矢印で示すように、光ディスク装置１２８の全体を制御する。システム制御部３１１は、ＣＰＵ(Central Processing Unit)３１１ａと、ＲＯＭ(Read OnlyMemory)３１１ｂと、ＲＡＭ(Random Access Memory)３１１ｃを有している。
【００４３】
ＣＰＵ３１１ａは、各部の動作を制御するコントローラとして機能する。ＲＯＭ３１１ｂは、ＣＰＵ３１１ａの動作を制御するための制御プログラム等を格納している。ＲＡＭ３１１ｃは、ＣＰＵ３１１ａのワーキングエリア等として機能する。ＣＰＵ３１１ａは、ＲＯＭ３１１ｂに格納されている制御プログラムを必要に応じて読み出し、読み出した制御プログラムをＲＡＭ３１１ｃに転送して展開し、当該展開された制御プログラムを読み出して実行することで、各部の動作を制御する。
【００４４】
操作入力部３１２は、例えば、キーボードやボタン等の入力デバイスにより構成され、ユーザからの操作入力を受け付け、その情報をシステム制御部３１１に供給する。制御情報入力部３１３は、光ディスク装置１２８の外部より、素材データ以外の情報を制御情報として受け付け、当該制御情報をシステム制御部３１１に供給する。制御情報出力部３１４は、システム制御部３１１に供給される素材データ以外の情報を光ディスク装置１２８の外部に出力する。
【００４５】
入力部３１５は、光ディスク装置１２８の外部より供給される素材データ（画像データや音声データ等）を受け付ける。この入力部３１５は、入力された素材データを記録信号処理部３１６に供給する。記録信号処理部３１６は、入力部３１５より供給される素材データに対して信号処理を行い、伝送用のフォーマットから記録用のフォーマットに変換する等の処理を行う。記録信号処理部３１６は、信号処理を施したデータを情報処理部３１７に供給する。
【００４６】
情報処理部３１７は、システム制御部３１１の制御に基づき、必要に応じて、素材データの編集に関する処理を行う。例えば、情報処理部３１７は、複数のデータを多重化する情報多重化部３１７ａと、１つの情報を複数に分解する情報分解部３１７ｂを有し、合成や分割等の処理を行う。
【００４７】
編集対象の素材データは、記録信号処理部３１６、またはドライブ制御部３２０等より供給される。情報処理部３１７は、各部から供給される素材データを取得すると、システム制御部３１１の制御のもと、素材データの編集を行い、編集された素材データを、ドライブ制御部３２０、または再生信号処理部３２３に供給する。
【００４８】
ドライブ制御部３２０は、光ディスク装置１２８の、光ディスク３３０が装着される図示しないドライブの各部を制御する処理部である。ドライブ制御部３２０は、例えば、システム制御部３１１に制御されて、ピックップ部３２１およびスピンドル駆動部３２２を制御する。ピックアップ部３２１は、ドライブに装着された光ディスク３３０に記録されている情報を読み出したり、光ディスク３３０に情報を書き込んだりする処理を行う。スピンドル駆動部３２２は、ドライブに装着された光ディスク３３０の駆動を制御する。
【００４９】
ドライブ制御部３２０は、ピックアップ部３２１およびスピンドル駆動部３２２を制御して、ピックアップ部３２１で読み出されたデータを情報処理部３１７に供給する。また、ドライブ制御部３２０は、ピックアップ部３２１およびスピンドル駆動部３２２を制御して、情報処理部３１７より供給されたデータを、ピックアップ部３２１を介して光ディスク３３０に書き込む。
【００５０】
ピックアップ部３２１は、ドライブ制御部３２０に制御される。このピックアップ部３２１は、ドライブに装着された光ディスク３３０に対してレーザ光を照射し、光ディスク３３０に記録されているデータを読み出してドライブ制御部３２０に供給する。また、このピックアップ部３２１は、ドライブ制御部３２０より供給されたデータを光ディスク３３０に書き込む。
【００５１】
その際、ピックアップ部３２１は、ドライブ制御部３２０に制御され、光ディスク３３０に対してその半径方向にスライドし、光ディスク３３０の半径方向に対するアクセス位置の制御を行う。スピンドル駆動部３２２は、ドライブに装着された光ディスク３３０の主に回転運動を制御し、ピックアップ部３２１による光ディスク３３０の回転方向に対するアクセス位置の制御を行う。
【００５２】
再生信号処理部３２３は、情報処理部３１７より供給される出力信号（または再生信号）に対する信号処理を行い、例えば、各データを記録用のフォーマットから伝送用のフォーマットに変換する等の処理を行う。再生信号処理部３２３は、信号処理を施したデータを出力部３２４に供給する。出力部３は、光ディスク装置１２８の外部に対して、再生信号処理部３２３より供給される素材データ（画像データや音声データ等）を外部に出力する。
【００５３】
［素材サーバから送出用の光ディスク装置への素材転送と、その素材の送出動作］
次に、送出サーバシステム１２０における、素材サーバ１２１から送出用の光ディスク装置１２８-1，１２８-2への素材転送の動作と、その素材の番組送出システムへの送出動作について、図６を参照して説明する。
【００５４】
転送時には、ファイリング端末１２３により、所定番組を構成する素材（素材１）の転送指示が出される。この転送指示に基づいて、光ディスク装置ＩＦ端末１２４により素材サーバ１２１および光ディスク装置１２８-1，１２８-2が制御され、この素材が素材サーバ１２１から光ディスク装置１２８-1，１２８-2に共通に転送されて記録される。
【００５５】
この場合、光ディスク装置１２８-1(送出１)および光ディスク装置１２８-2（送出２）の光ディスクの記録内容は一致する。また、この場合、転送処理が光ディスク装置１２８-1，１２８-2に対して同時並列的に実行されるため、転送時間は１台の光ディスク装置に転送する時間と同等となる。
【００５６】
また、送出時には、キューシートに基づいて、機器制御端末１２６から機器制御部１２７を通じて光ディスク装置１２８-1，１２８-2の再生動作が制御される。そして、番組の先頭から順に、送出１→送出２→・・・の順に再生制御され、素材に対応した送出対象の光ディスク装置から当該素材が順次再生されて出力される。
【００５７】
なお、上述していないが、例えば、番組制作支援システム１１０のキューシート作成端末１１４でキューシートを作成する際に、番組を構成する各素材をどの光ディスク装置から出力するかを決定するＣＨ（チャネル）アサインが自動的に実行される。そして、このＣＨアサイン結果は、データベース１１５に登録されている。
【００５８】
ここで、番組放送中にＮＥＸＴ指定などで送出対象の光ディスク装置が変わった場合には、変更後の送出対象の光ディスク装置から素材が再生されて出力される。上述したように光ディスク装置１２８-1，１２８-2には素材が共通に転送されて記録され、そのディスクの記録内容が一致するようにされている。そのため、このように番組放送中にＮＥＸＴ指定などで送出対象の光ディスク装置が変わる場合にも対処可能となる。
【００５９】
また、この実施の形態において、素材サーバ１２１から所定番組を構成する素材を光ディスク装置１２８-1，１２８-2に転送して記録する際に、番組ＩＤと転送先のディスク装置に装着されている光ディスクのディスクＩＤとが関連付けされる。この関連付けがデータベース１１５に登録される。そして、番組放送（ＯＡ）中に、所定番組の素材を再生する光ディスク装置に装着されている光ディスクのディスクＩＤと番組ＩＤとの関連付けが確認される。
【００６０】
つまり、データベース１１５にこの関連付けが登録されていないとき、図示しないキューシート端末あるいはアラームパネルに警告が通知される。これにより、素材サーバ１２１から光ディスク装置１２８-1，１２８-2に所定番組の素材を転送した後に、当該光ディスク装置１２８-1，１２８-2の光ディスクが取り換えられている場合、番組放送中に誤った素材が再生されることになるが、それを警告できる。
【００６１】
［素材サーバから緊急用の光ディスク装置への素材転送と、その素材の送出動作］
次に、送出サーバシステム１２０における、素材サーバ１２１から緊急用の光ディスク装置１２８-3への素材転送の動作と、その素材の番組送出システムへの送出動作について、図７を参照して説明する。
【００６２】
転送時には、ファイリング端末１２３から、所定番組を構成する素材（素材Ａ）の転送指示が出される。この転送指示に基づいて、光ディスク装置ＩＦ端末１２４により素材サーバ１２１および光ディスク装置１２８-3が制御され、この素材が素材サーバ１２１から光ディスク装置１２８-3に共通に転送されて記録される。
【００６３】
また、送出時には、手動でのキューアップ後、１６面タッチパネル等の操作に基づき、機器制御端末１２６から機器制御部１２７を通じて光ディスク装置１２８-3が制御され、当該素材（素材Ａ）が再生されて出力される。
【００６４】
［光ディスク装置の送出用、緊急用の用途の変更］
次に、光ディスク装置１２８-1〜１２８-3の送出用、緊急用の用途の変更について説明する。上述したように、最初、光ディスク装置１２８-1，１２８-2は送出用とされ、光ディスク装置１２８-3は緊急用とされる。しかし、この実施の形態において、光ディスク装置１２８-1〜１２８-3は、送出用、緊急用の用途の変更が可能とされている。
【００６５】
例えば、図８に示すように、光ディスク装置１２８-2が故障した場合、この光ディスク装置１２８-2の代わりに、光ディスク装置１２８-3を送出２として使用するように、用途変更を行うことできる。
【００６６】
この場合、転送時には、ファイリング端末１２３により、所定番組を構成する素材（素材１）の転送指示が出される。この転送指示に基づいて、光ディスク装置ＩＦ端末１２４により素材サーバ１２１および光ディスク装置１２８-1，１２８-3が制御され、この素材が素材サーバ１２１から光ディスク装置１２８-1，１２８-3に共通に転送されて記録される。
【００６７】
また、送出時には、キューシートに基づいて、機器制御端末１２６から機器制御部１２７を通じて光ディスク装置１２８-1，１２８-3の再生動作が制御される。そして、番組の先頭から順に、送出１→送出２→・・・の順に再生制御され、素材に対応した送出対象の光ディスク装置から当該素材が順次再生されて出力される。
【００６８】
なお、この場合、故障した光ディスク装置１２８-2は修理され、あるいは正常な光ディスク装置に交換されて、緊急用として使用される。
【００６９】
以上説明したように、図１に示す番組制作送出システム１００においては、送出サーバシステム１２０の素材出力部が３個の光ディスク装置１２８-1〜１２８-3で構成されており、従来のように送出サーバで構成される場合に比べて安価に構成できる。
【００７０】
また、図１に示す番組制作送出システム１００においては、番組開始前に、素材サーバ１２１から素材出力部に番組を構成する素材を転送する際、送出用の光ディスク装置１２８-1，１２８-2に素材が共通に転送される（図６参照）。そのため、送出用の光ディスク装置１２８-1，１２８-2には素材が共通に転送されて記録され、そのディスクの記録内容が一致するようにされている。
【００７１】
したがって、例えば、番組放送中にＮＥＸＴ指定などで送出対象の光ディスク装置が変わる場合にも良好に対処可能となる。また、光ディスク装置１２８-1，１２８-2の一方が壊れた場合でも、他方に同じ素材が記録されてバックアップされているため、ミラーリングなどの措置が不要となる。また、光ディスク装置１２８-1，１２８-2の一方が壊れた場合でも、その光ディスク装置だけを交換することで容易に、かつ低コストで復旧できる。
【００７２】
また、図１に示す番組制作送出システム１００においては、送出サーバシステム１２０の素材出力部が３個の光ディスク装置１２８-1〜１２８-3で構成されている。そして、光ディスク装置１２８-1，１２８-2は送出用とされているが、残りの光ディスク装置１２８-3は緊急用とされている。そのため、番組開始までに素材サーバ１２１から素材出力部への転送が間に合わなかった素材を、番組を構成する素材として、緊急用の光ディスク装置１２８-3を利用して出力することができる（図７参照）。
【００７３】
また、図１に示す送出サーバシステム１２０の素材出力部が３個の光ディスク装置１２８-1〜１２８-3で構成されている。そして、当初は、光ディスク装置１２８-1，１２８-2は送出用とされ、残りの光ディスク装置１２８-3は緊急用とされている。しかし、光ディスク装置１２８-1〜１２８-3の送出用、緊急用の用途変更が可能とされている。
【００７４】
そのため、今まで送出用の光ディスク装置が故障した場合、緊急用の光ディスク装置をその代わりとして使用して、送出動作を継続することが可能となる（図８参照）。なお、この場合、故障した光ディスク装置を修理、あるいは交換することで、緊急用の光ディスク装置として使用することが可能となる。
【００７５】
＜２．変形例＞
なお、上述実施の形態においては、送出サーバシステム１２０の素材出力部が３個の光ディスク装置１２８-1〜１２８-3で構成されている例を示している。しかし、素材出力部は、２個あるいは４個以上の光ディスク装置で構成されてもよい。また、上述実施の形態においては、送出サーバシステム１２０の素材出力部が３個の光ディスク装置１２８-1〜１２８-3で構成され、そのうちの一個の光ディスク装置１２８-3を緊急用に用いるものを示しているが、緊急用として用いる光ディスク装置の個数は一個に限定されない。
【００７６】
また、上述実施の形態においては、記録再生部が光ディスク装置（図５参照）である例を示した。しかし、この発明において、記録再生部は、光ディスク装置に限定されるものではなく、磁気ディスク、磁気テープ、半導体メモリ等の光ディスク以外の記録媒体を用いた記録再生装置により構成されていてもよい。
【産業上の利用可能性】
【００７７】
この発明は、素材出力部を安価に構成でき、しかもミラーリングなどの措置を不要にできるものであり、例えば、番組制作送出システム等に適用できる。
【符号の説明】
【００７８】
１００・・・番組制作送出システム
１１０・・・番組制作支援システム
１１１・・・取材管理端末
１１２・・・原稿作成端末
１１３・・・項目入力端末
１１４・・・キューシート作成端末
１１５・・・データベース
１２０・・・送出サーバシステム
１２１・・・素材サーバ
１２２・・・ノンリニア編集機
１２３・・・ファイリング端末
１２４・・・光ディスク装置ＩＦ端末
１２５・・・ゲートウェイ端末
１２６・・・機器制御端末
１２７・・・機器制御部
１２８，１２８-1〜１２８-3・・・光ディスク装置
【図１】
2010219973.tif 000003
【図２】
2010219973.tif 000004
【図３】
2010219973.tif 000005
【図４】
2010219973.tif 000006
【図５】
2010219973.tif 000007
【図６】
2010219973.tif 000008
【図７】
2010219973.tif 000009
【図８】
2010219973.tif 000010